(57)【要約】      （修正有）【課題】収納物を密封包装できるチャック付き袋であって、容易に開封でき、かつその後に繰り返し開口が容易にできる広口形態の包装袋を提供する。【解決手段】プラスチックフィルムにアルミニウム箔をラミネートした素材、またはアルミニウムを蒸着した素材を表面と裏面とに使用して袋１を形成し、該袋の上部にチャックテープ２を備え、チャックテープ直上に空間部３を設け、最上部および両サイドにヒートシール部１６、１７、６ａ、６ｂを構成し  、空間部は上に凸の形状であり、該凸部は袋の略中央部近くに位置し、チャックテープ上部の最上部のヒートシール部１６、１７は下に凹の形状となって空間部の凸部を凹部の中に形成し、開封のためのハサミによる複数の切断箇所１１〜１４と、該複数の切断箇所における切断のための順番を明示し、チャックの開口を容易にするために空間部の凸部の表裏の包装材料を使用して、両手の指でつまんで引っ張ることのできるつまみ部を設けている。【選択図】図３
0003227059.tif 000002
【実用新案登録請求の範囲】
【請求項１】
プラスチックフィルムにアルミニウム箔をラミネートした素材、またはプラスチックフィルムにアルミニウムを蒸着した素材を表面と裏面とに使用して袋を形成し、該袋の上部にチャックテープの装着部、チャックテープ直上に空間部、最上部および両サイドにヒートシール部を構成し、前記空間部は上に凸の形状であって下の横長の矩形部と上の小さい矩形部とで形成され、該上の小さい矩形部は袋の略中央部に位置して最上部のヒートシール部に食い込み、前記ヒートシール部は下に凹の形状となって前記空間部の小さい矩形部を凹部の内に含有し、開封のためのハサミによる複数の切断箇所および該複数の切断箇所における切断のための順番が前記最上部のヒートシール部と前記空間部に明示され、第１の切断箇所が前記チャックと平行に設定されて最上部のヒートシール部と前記空間部の小さい矩形部を横断して前記最上部のヒートシール部と前記空間部の小さい矩形部の上部を切り落とし、前記空間部の小さい矩形部の上部に小さな開口部を形成し、第２、第３の切断箇所が前記空間部の小さい矩形部上部の開口部からチャック方向に下がって設定されていて切断され、サイドのヒートシール部から前記空間部の横長の矩形部内に達する第４、第５の切断箇所が前記チャックと水平に設定されていて切断され、これら５か所の切断後に前記空間部の小さな矩形部を構成していた表面と裏面にそれぞれ「つまみ部」が形成され、該「つまみ部」は横幅および高さがそれぞれ３〜２０ミリメートルの範囲内であることを特徴とする広口形態のチャック付き袋
【考案の詳細な説明】
【技術分野】
【０００１】  本考案は、プラスチックフィルムにアルミニウム箔をラミネートした素材、またはプラスチックにアルミニウムを蒸着した素材を表面と裏面とに使用して袋を形成し、袋の収納物を密封包装して防湿性や遮光性等を高めたチャック付きの袋において、袋の上部を構成するチャックテープ部の直上の空間部と、空間部の上のヒートシール部とを利用して開封口を形成する方法と、開封後のチャックの開口を容易にするための「つまみ部」の形成に関する。
【背景技術】
【０００２】  プラスチックフィルムに金属箔をラミネートした素材、またはフィルムに金属が蒸着されたフィルム素材を使用し、ヒートシール法で袋体を形成した、比較的少量の収納物のための包装容器が多用されている。金属はほとんどアルミニウム箔かフィルムにアルミニウムが蒸着されていて、この袋体の特徴は従来の容器に比較して軽量で、材料の使用も少なく、廃棄処理も容易なことである。また、遮光性、防湿性、衝撃強度等にも優れることから、小売り商品の包装袋にも多量に使用されるようになった。この種のチャック付き袋は収納袋部の形成法により、平袋、ガゼットタイプ、スタンディングタイプ等があるが、開口部については同じ形態をとっている物がほとんどで、開封と開口に関する問題点は共通している。【０００３】  アルミニウム箔は６ミクロン程度の厚さを必要としており、チャックテープ自身も装着部を持ち、また周辺には袋を形成するためのヒートシール部がサイドや上部に存在し、従来のポリエチレン袋や紙製の袋等に比べて表裏の両面とも硬さと引っ張り強度が増すようになった。このことは袋の開封に注意喚起を促す必要を生じ、例えば、ハサミの使用を促す略図や切断箇所の明示等の表示がなされている袋が多い。このような表示がなされた袋の一例を図１に示す。袋の上部のサイドシール部に小さな切込みを２か所設けて、その切込みを直線の点線で結んでいる。この表示は袋に収納されている商品を購入したりまたは使用したりする者に対し、容易にハサミの使用と切断すべき箇所を知らしめることができる。また開口の容易さを追及して非直線的な切断線を明示する例もある（特許文献１参照）。【０００４】  一方、袋の両面の硬さが増すこと、袋の上下左右がヒートシール部で構成されていること、チャックが使用されていることによって、ハサミで切断された断面が重なって閉じ易くなり、かつ切断面には段差を生じにくい。そのため、指先で掴んで開口することに知恵と工夫が求められ、また無理な開け方をした場合には指先を損傷する懸念もある（非特許文献１参照）。この不都合を軽減するために、両面の切り口の間に段差を付けるための方策が提案されている（特許文献２参照）。【０００５】  しかしながら、前記の方策は特製の治工具を使用する点で一般の購入者にとっては現実的な方法にはならない。また、段差を工夫して作成する方法も提案されている。段差がなく、しかも閉じてしまっている開口部をこじ開けながらハサミで段差を作っていき、次はその段差を利用して開口部を両手の指を使ってこじあける方策である。知恵も、技術も、力も必要になる。子供や高齢者には楽にできる方策とは言い難いし、怪我を誘発することも懸念される。また、無理をするとチャックの機能を損なう損傷を与えることも想定され、チャックを装着する意味をなくしてしまう懸念もある。（特許文献３参照）。【０００６】  一方、段差を設けるのではなく、開口部に指先でつまむことができる「つまみ部」を作る方策の提案もある。ハサミによる２つの切断箇所がチャック上部の空間部の左右に斜めに形成され、更に３番目の切断箇所が空間部の上部にほぼ水平に形成されて、開口部に「つまみ部」が作られる。この方策は前記段差作りよりはハサミの使用が容易��なりそうであるが、３番目の切断は「つまみ部」をつくるために上部のヒートシールの下の空間部の表裏２面の間にハサミを入れて二枚を分離することが必要となる。この処理は誰もができる方策とは言い難い（特許文献４参照）。【０００７】  本考案は、前記のような問題点を解決するためになされたものである。誰もがハサミを使って目的を達成できるようにするには、最も基本的な直線切りを何回か繰り返して実現するのが望ましい。本考案では直線切りを５回繰り返すことで、開口処理と「つかみ部」の形成を実現している。
【先行技術文献】
【特許文献】
【０００８】
【特許文献１】特許６１００９３８
【特許文献２】実登３１３１５２１
【特許文献３】実登３０９７４９２
【特許文献４】特開２０１２−００１２２７
【非特許文献】
【０００９】
【非特許文献１】「亀田製菓株式会社のチャック付き菓子袋の「カリッと香ばしいバターピーナッツ大袋」（２０２０年２月に購入）に記載の次の注意書き。「切り口や袋の端で手を切らないようにご注意下さい」。
【考案の概要】
【考案が解決しようとする課題】
【００１０】  本考案は、チャック付き袋の開封時に、普通にハサミを使用できる人が困難なく安全にできるように、また両手の指で「つまみ部」を掴んでチャックを含む開口部を容易に開けることができる，チャック付き袋を提供することである。
【課題を解決するための手段】
【００１１】  本考案は、チャック付き袋の上部に、開封のためのハサミによる５か所の切断箇所および５か所の切断箇所における切断のための順番が袋の上部に明示され、切断後に「つまみ部」が自動的に形成されることにより問題点を解決している。
【考案の効果】
【００１２】  上述のように、本考案のチャック付き袋の開封作業は、普通にハサミを使用できる人が袋に明示されている切断箇所を切断順番通りに切断することにより自動的に開口が形成でき、また自動的に形成された「つまみ部」を使用して容易に袋の開口ができる。また、「つまみ部」は広口の中央部付近に作れば最少の力で開けることができる。「つまみ部」はハサミで切っただけでは段差はできないが、その幅が小さいために簡単に指先で折り曲げられるので、２枚をはがすのは容易である。また、収納物によっては「つまみ部」が取り出しの際に邪魔にならないように、例えば粉状の内容物を取り扱う場合にはあらかじめ「つまみ部」を左右のどちらかにずらして形成するか、「つまみ部」の１枚をハサミで切ってしまうことにより、その影響を軽減することができる。
【図面の簡単な説明】
【００１３】
【図１】上部の空間部をハサミで横に直線的に切断することを明示した広口のチャック付き袋の正面図
【図２】本考案の広口のチャック付き袋の正面図
【図３】切断箇所▲１▼が切断された時の広口のチャック付き袋の正面図
【図４】切断箇所▲５▼まで切断された時の広口のチャック付き袋の正面図
【考案を実施するための形態】
【００１４】    最上部のヒートシール部に明示されたハサミでの切断箇所と切断順番にしたがい、順に切断して行く。この作業を完了すると袋の表裏両面につかみ部が形成される。
【００１５】  開口は表裏の２枚の「つかみ部」をそれぞれ両手の親指と人指し指で掴み、両側に引っ張ることによって可能である。閉口はチャック部分を軽く上下から押さえてなされる。
【実施例】
【００１６】  以下、添付図面にしたがって一実施例を説明する。図２は本考案を実施するために考えられた広口のチャック付き袋の正面図である。１はチャック付き袋の本体であり、最上部にヒートシール部があって、そこにハサミ入れの順番を表す表示が枠に囲まれて明示されている。図３はハサミ入れの順番▲１▼で指示された切断箇所をハサミで切り落としたときの正面図である。上部がハサミで切断されている。１６，１７は最上部のヒートシール部のうち、切り落とされずに本体側に残った部分である。２はチャックテープである。３は凸部を持つチャック直上の空間部であり、凸部の最上部がハサミで切り取られて小さな開口部を作っている。１８ａ、１８ｂが表裏の素材の切り口を表している。図４はハサミ入れの順番▲２▼、▲３▼、▲４▼、▲５▼、を終了した時の袋本体１の正面図である。１９ａ、１９ｂはハサミの切断で形成された「つまみ部」である。２０ａ、２０ｂはハサミで切断されて残ったチャックテープ直上の上の凸形の空間部３の一部であり、表裏２枚ある。２１ａ、２１ｂも同じく凸形の空間部３の一部であり、表裏２枚ある。２０ａ、２０ｂ、２１ａ、２１ｂは空間部３をハサミで開いたことを示しており、すなわち開封がなされたことを表している。６ａ、６ｂは袋のサイドシールである。１９ａ、１９ｂは前記のごとく、ハサミの切断を終了した時に形成された表裏の袋の素材でできた「つまみ部」であり、表裏各１枚で構成されている。したがい、１９ａ、１９ｂの「つまみ部」を両手の指で掴んで引っ張れば、チャックを容易に開けることができる。また、開口された広口を閉口するには、以前と全く同様にチャック部を軽く押さえて実施される。
【産業上の利用可能性】
【００１７】  チャック付き広口袋の持つ特性の良さ、例えば遮光性、気密性、耐静電気、等により使用用途が拡大して来たのは良かったが、子供から高齢者までの一般の人が扱うようになって初めて、開口の大変さや、障害発生の危険性を危惧する状況になってきた。従い、この袋の開封、開口の問題を解決できれば、更に市場で利用されるものと考える。
【符号の説明】
【００１８】１      チャック付き平袋
２      チャックテープ
３      チャックテープ直上の上に凸形の空間部
４      袋部
５      下に凹形の上部ヒートシール部
６ａ    サイドシール部
６ｂ    サイドシール部
７      ボトムシール部
８ａ    切り欠き部
８ｂ    切り欠き部
９ａ    切り欠き部
９ｂ    切り欠き部
１０    ▲１▼のハサミの切断箇所指示線
１１    ▲２▼のハサミの切断箇所指示線
１２    ▲３▼のハサミの切断箇所指示線
１３    ▲４▼のハサミの切断箇所指示線
１４    ▲５▼のハサミの切断箇所指示線
１５    ハサミ入れの順番指示の表示部
１６    ▲１▼のハサミで切断された５の一部
１７    ▲１▼のハサミで切断された５の一部
１８ａ  ▲１▼のハサミで切断されてできた３の開口部
１８ｂ  ▲１▼のハサミで切断されてできた３の開口部
１９ａ  ▲２▼のハサミで切断されてできた「つまみ部」
１９ｂ  ▲２▼と▲３▼のハサミで切断されてできた「つまみ部」
２０ａ  ▲４▼のハサミで切断されてできた３の開口部
２０ｂ  ▲４▼のハサミで切断されてできた３の開口部
２１ａ  ▲５▼のハサミで切断されてできた３の開口部
２１ｂ  ▲５▼のハサミで切断されてできた３の開口部
２２    矩形の上部ヒートシール部
２３    チャックテープ直上の矩形の空間部
２４    切り欠き部
２５    切り欠き部
２６    開封のためのハサミの切断箇所指示線
【図１】
0003227059.tif 000003
【図２】
0003227059.tif 000004
【図３】
0003227059.tif 000005
【図４】
0003227059.tif 000006